(57)【要約】【課題】スラッジの被濾過特性を効率よく検査することのできる自動濾過検査装置の提供を目的とする。【解決手段】本発明の自動濾過検査装置は、検査領域に濾紙を水平に順次操出及び排出する機構と、上記操出及び排出機構により検査領域に繰り出された濾紙の表面に検査対象のスラッジを定量供給する機構と、上記供給機構によるスラッジ供給後所定時間内に濾紙の裏面から透過する水量を測定する機構とを備える。上記供給機構が、濾紙表面に端面が当接され、内部にスラッジを保持する筒状の枠体を有するとよい。上記供給機構が、濾紙表面に供給したスラッジに濾過圧力を付与する機構を有するとよい。上記操出及び排出機構が、ロール状に巻かれた長尺濾紙を回転可能に支持する手段と、上記長尺濾紙を順次繰り出す駆動ロールとを有するとよい。上記測定機構による測定結果又はその測定結果から導出される指標を表示する機構をさらに備えるとよい。【選択図】図１
2016206115.tif 000002
【特許請求の範囲】
【請求項１】
検査領域に濾紙を水平に順次操出及び排出する機構と、
上記操出及び排出機構により検査領域に繰り出された濾紙の表面に検査対象のスラッジを定量供給する機構と、
上記供給機構によるスラッジ供給後所定時間内に濾紙の裏面から透過する水量を測定する機構と
を備える自動濾過検査装置。
【請求項２】
上記供給機構が、濾紙表面に端面が当接され、内部にスラッジを保持する筒状の枠体を有する請求項１に記載の自動濾過検査装置。
【請求項３】
上記供給機構が、濾紙表面に供給したスラッジに濾過圧力を付与する機構を有する請求項１又は請求項２に記載の自動濾過検査装置。
【請求項４】
上記操出及び排出機構が、
ロール状に巻かれた長尺濾紙を回転可能に支持する手段と、
上記長尺濾紙を順次繰り出す駆動ロールと
を有する請求項１、請求項２又は請求項３に記載の自動濾過検査装置。
【請求項５】
上記測定機構による測定結果又はその測定結果から導出される指標を表示する機構をさらに備える請求項１から請求項４のいずれか１項に記載の自動濾過検査装置。
【発明の詳細な説明】
【技術分野】
【０００１】
本発明は、自動濾過検査装置に関する。
【背景技術】
【０００２】
スラッジ（汚泥）の被濾過特性を測定するために濾過検査装置が用いられている。従来、このような濾過検査装置としては、円錐状に丸められた濾紙を収容するロートと、このロートに上方からスラッジを供給する供給手段と、このロートの下方に配設され、濾紙を透過した濾過済液を収容する容器とを有するものが公知である。
【０００３】
この従来の濾過検査装置にあっては、濾紙が収容されたロートに一定量のスラッジを供給した上、濾紙を透過し、容器に収容された濾過済液の量や濾過に要した時間等を測定することでスラッジの被濾過特性を検査することができる。
【０００４】
しかしながら、この従来の濾過検査装置は、検査のたびに濾紙を円錐状に丸めてロート内に収容しなければならず、作業効率が悪い。
【０００５】
これに対し、濾紙の供給効率を向上可能な濾過装置として、例えば「微細スラッジ自動処理装置」（特開２００７−７５８５９号公報参照）が発案されている。
【０００６】
この公報に記載の濾過装置は、積み重ねた状態で保持される複数枚の濾紙を吸盤を用いて１枚ずつ吸着し、この吸着した濾紙を検査領域に供給することで濾紙の供給効率を向上できるとされている。
【先行技術文献】
【特許文献】
【０００７】
【特許文献１】特開２００７−７５８５９号公報
【発明の概要】
【発明が解決しようとする課題】
【０００８】
しかしながら、上記濾過装置は、濾紙の一部分の通気性を他の部分の通気性よりも低くし、この通気性を低くした部分を吸盤に吸着させることで濾紙を検査領域に供給するものである。そのため、上記濾過装置を用いるためには、通気性が調整された濾紙を用意する必要があり、濾紙の製造コストが高くなる。また、上記過装置は、濾紙の通気性の調整が不十分であると、吸盤に複数枚の濾紙が吸着され、適切に濾過を行えないおそれがある。
【０００９】
本発明は、このような事情に基づいてなされたものであり、スラッジの被濾過特性を効率よく検査することのできる自動濾過検査装置の提供を目的とする。
【課題を解決するための手段】
【００１０】
上記課題を解決するためになされた本発明の一態様に係る自動濾過検査装置は、検査領域に濾紙を水平に順次操出及び排出する機構と、上記操出及び排出機構により検査領域に繰り出された濾紙の表面に検査対象のスラッジを定量供給する機構と、上記供給機構によるスラッジ供給後所定時間内に濾紙の裏面から透過する水量を測定する機構とを備える。
【発明の効果】
【００１１】
本発明の自動濾過検査装置はスラッジの被濾過特性を効率よく検査することができる。
【図面の簡単な説明】
【００１２】
【図１】本発明の一実施形態に係る自動濾過検査装置を示す模式的側面図である。
【図２】図１の自動濾過検査装置とは異なる実施形態に係る自動濾過検査装置を示す模式的側面図である。
【図３】図１及び図２の自動濾過検査装置とは異なる実施形態に係る自動濾過検査装置を示す模式的側面図である。
【図４】図３の自動濾過検査装置を示す部分拡大断面図である。
【発明を実施するための形態】
【００１３】
［本発明の実施形態の説明］
最初に本発明の実施態様を列記して説明する。
【００１４】
本発明の一態様に係る自動濾過検査装置は、検査領域に濾紙を水平に順次操出及び排出する機構と、上記操出及び排出機構により検査領域に繰り出された濾紙の表面に検査対象のスラッジを定量供給する機構と、上記供給機構によるスラッジ供給後所定時間内に濾紙の裏面から透過する水量を測定する機構とを備える。
【００１５】
当該自動濾過検査装置は、検査領域に濾紙を水平に順次繰出及び排出する機構を備えるので、検査領域に濾紙を連続的に供給することができる。そのため、当該自動濾過検査装置は、濾紙をこの検査領域に繰り出した上、この濾紙の表面にスラッジを定量供給し、このスラッジを濾過するという一連の動作を連続的に行うことができる。従って、当該自動濾過検査装置は、スラッジの被濾過特性を効率よく検査することができる。
【００１６】
上記供給機構が、濾紙表面に端面が当接され、内部にスラッジを保持する筒状の枠体を有するとよい。このように、上記供給機構が、濾紙表面に端面が当接され、内部にスラッジを保持する筒状の枠体を有することによって、この枠体内に検査対象のスラッジを定量供給することで、スラッジの被濾過特性を容易かつ確実に検査することができる。
【００１７】
上記供給機構が、濾紙表面に供給したスラッジに濾過圧力を付与する機構を有するとよい。このように、上記供給機構が濾紙表面に供給したスラッジに濾過圧力を付与する機構を有することによって、濾過時間を短縮して効率化を促進することができる。
【００１８】
上記操出及び排出機構が、ロール状に巻かれた長尺濾紙を回転可能に支持する手段と、上記長尺濾紙を順次繰り出す駆動ロールとを有するとよい。このように、上記操出及び排出機構が、ロール状に巻かれた長尺濾紙を回転可能に支持する手段と、上記長尺濾紙を順次繰り出す駆動ロールとを有することによって、検査領域に濾紙を容易かつ確実に繰り出すことができると共に、検査後の濾紙を容易かつ確実に排出することができる。
【００１９】
上記測定機構による測定結果又はその測定結果から導出される指標を表示する機構をさらに備えるとよい。このように、上記測定機構による測定結果又はその測定結果から導出される指標を表示する機構をさらに備えることによって、測定結果又はその測定結果から導出される指標を容易かつ確実に視認することができる。
【００２０】
［本発明の実施形態の詳細］
以下、図面を参照しつつ、本発明の一実施形態に係る自動濾過検査装置について説明する。
【００２１】
［自動濾過検査装置］
図１の自動濾過検査装置１は、スラッジの被濾過特性を検査するために用いられる。この自動濾過検査装置１で用いられるスラッジとしては、特に限定されるものではなく、有機汚泥及び無機汚泥のいずれであってもよい。
【００２２】
上記有機汚泥としては、例えば下水汚泥、し尿汚泥、その他各種産業廃水処理において発生する有機汚泥が挙げられる。また、上記無機汚泥としては、例えば浄水汚泥、その他各種産業廃水処理において発生する無機汚泥が挙げられる。
【００２３】
図１の自動濾過検査装置１は、繰出及び排出機構２と、スラッジ供給機構３と、濾過済液排出機構４と、濾過済液収容機構５と、測定機構６と、表示機構７とを備える。図１の自動濾過検査装置１は、長尺濾紙Ｘを検査領域Ｙに順次繰り出し、この検査領域Ｙにおいてスラッジを濾過する。なお、「検査領域Ｙ」とは、スラッジが濾紙Ｘに供給される領域をいい、具体的には、後述するスラッジ供給機構３の枠体３ａの下端開口によって区画される領域をいう。
【００２４】
（繰出及び排出機構）
繰出及び排出機構２は、検査領域Ｙに濾紙Ｘを水平に順次繰出及び排出する。繰出及び排出機構２は、ロール状に巻かれた長尺濾紙Ｘを回転可能に支持する手段である従動ロール８と、長尺濾紙Ｘを順次巻き取る駆動ロール９と、この従動ロール８及び駆動ロール９よりも高い位置で水平に配設され、検査領域Ｙにおける濾紙Ｘを水平に支持する一対の回転ロール１０とを有する。
【００２５】
繰出及び排出機構２は、従動ロール８に巻回されている長尺濾紙Ｘを駆動ロール９が順次巻き取っていくことで、検査領域Ｙに長尺濾紙Ｘの未使用部分を順次繰り出す。また、繰出及び排出機構２は、長尺濾紙Ｘを駆動ロール９が巻き取っていくことで、濾過に用いられた部分が検査領域Ｙから排出される。当該自動濾過検査装置１は、このように操出及び排出機構２が、従動ロール８及び駆動ロール９を有することによって、検査領域Ｙに濾紙Ｘを容易かつ確実に繰り出すことができると共に、使用後の濾紙Ｘを容易かつ確実に排出することができる。
【００２６】
（供給機構）
供給機構３は、繰出及び排出機構２により検査領域Ｙに繰り出された濾紙Ｘの表面に検査対象のスラッジを定量供給する。供給機構３は、濾紙Ｘ表面に端面が当接され、内部にスラッジを保持する筒状の枠体３ａを有する。具体的には、枠体３ａは、径が一定の円筒状に形成され、かつ下端が水平とされている。枠体３ａは、濾紙Ｘを挟んで後述する濾過済液排出機構４の上側に載置され、下端が濾紙Ｘの表面に当接している。
【００２７】
枠体３ａの平均内径の下限としては、５ｃｍが好ましく、１０ｃｍがより好ましい。一方、枠体３ａ平均内径の上限としては、３０ｃｍが好ましく、２０ｃｍがより好ましい。上記平均内径が上記下限に満たないと濾過に要する時間が不要に長くなるおそれがある。逆に、上記平均内径が上記上限を超えると、装置の大型化を招来するおそれがある。
【００２８】
枠体３ａの容量の下限としては、２０ｍｌが好ましく、３０ｍｌがより好ましい。一方、枠体３ａの容量の上限としては、１００ｍｌが好ましく、８０ｍｌがより好ましい。枠体３ａの容量が上記下限に満たないと、検査に必要とされる量のスラッジを内部に保持できないおそれがある。逆に、枠体３ａの容量が上記上限を超えると、スラッジの供給によって濾紙Ｘ表面に加わる荷重が大きくなり、濾紙Ｘが破れるおそれがある。
【００２９】
（濾過済液排出機構）
濾過済液排出機構４は、濾紙Ｘを透過した濾過済液を集束して濾過済液収容機構５に排出する。濾過済液排出機構４は、下方に縮径するロート４ａを有する。ロート４ａの上端は、一対の回転ロール１０間に懸架される濾紙Ｘの裏面に当接するように、平面視で一対の回転ロール１０に挟まれる領域において、その上端が一対の回転ロール１の上端と略同じ高さとなるよう配設されている。また、ロート４ａの上端の径は枠体３ａの下端の径以上である。これにより、当該自動濾過検査装置１は、濾紙Ｘを透過した濾過済液が濾過済液排出機構４外に漏れるのを防止し、濾過済液を濾過済液排出機構４に的確に排出することができる。
【００３０】
（濾過済液収容機構）
濾過済液収容機構５は、濾過済液排出機構４から排出される濾過済液を収容する。濾過済液収容機構５は、上端が開口された有底筒状の容器５ａを有する。容器５ａは、外部から濾過済液の排出量が視認できるよう好ましくは透明とされている。なお、容器５ａの容量としては、一回の濾過で生じる濾過済液の全量を収容できる限り特に限定されるものではなく、例えば２０ｍｌ以上１００ｍｌ以下とすることができる。
【００３１】
（測定機構）
測定機構６は、供給機構３によるスラッジ供給後所定時間内に濾紙Ｘの裏面から透過する水量を測定する。測定機構６による水量の測定方法としては、特に限定されるものではなく、例えば濾過済液が収容された容器５ａの重量から容器５ａ単体の重量を差し引くことで濾紙Ｘの裏面から透過した水量を測定するものであってもよく、容器５ａに収容された濾過済液の体積を液面計算により測定して濾紙Ｘの裏面から透過した水量を測定するものであってもよい。
【００３２】
（表示機構）
表示機構７は、測定機構６による測定結果又はその測定結果から導出される指標を表示する。表示機構７は、例えば液晶ディスプレイ等の表示手段によって構成される。なお、表示機構７が、測定機構６による測定結果から導出される指標を表示する場合、この指標としては、例えば濾過済液の濾過速度や、濾紙Ｘの裏面から透過した水量の経時変化等が挙げられる。
【００３３】
＜自動濾過検査方法＞
次に、当該自動濾過検査装置１を用いた自動濾過検査方法について説明する。当該自動濾過検査方法は、操出工程と、供給工程と、測定工程と、排出工程と、表示工程とを備える。
【００３４】
（操出工程）
上記操出工程では、検査領域Ｙに濾紙Ｘを水平に操り出す。この操出工程は、操出及び排出機構２によって行われる。上記操出工程では、濾紙Ｘを駆動ロール９によって巻き取ることで、この検査領域Ｙに長尺濾紙Ｘの未使用部分を繰り出す。
【００３５】
（供給工程）
上記供給工程では、上記操出工程によって検査領域Ｙに繰り出された濾紙Ｘの表面に検査対象のスラッジを定量供給する。上記供給工程は、供給機構３によって行われる。上記供給工程では、枠体３ａ内に一定量のスラッジを供給することで、このスラッジが濾紙Ｘの表面に供給される。
【００３６】
上記供給工程におけるスラッジの供給量の下限としては、２０ｍｌが好ましく、３０ｍｌがより好ましい。一方、上記供給工程におけるスラッジの供給量の上限としては、１００ｍｌが好ましく、８０ｍｌがより好ましい。上記供給工程におけるスラッジの供給量が上記下限に満たないと、検査に必要とされる量のスラッジを十分に供給できないおそれがある。逆に、上記供給工程におけるスラッジの供給量が上記上限を超えると、スラッジの供給によって濾紙Ｘ表面に加わる荷重が大きくなり、濾紙Ｘが破れるおそれがある。
【００３７】
（測定工程）
上記測定工程では、上記供給工程によるスラッジ供給後所定時間内に濾紙Ｘの裏面から透過する水量を測定する。上記測定工程は、測定機構６によって行われる。上記測定工程では、スラッジの供給から所定時間を自動で計測し、この計測値に基づいて上記水量を測定してもよく、ストップウォッチ等によって手動で計測された時間を基に上記水量を測定してもよい。また、上記測定工程では、スラッジの供給から所定時間後における水量を１回のみ測定してもよく、スラッジの供給からの経過時間を計測しつつ、複数のタイミングで水量を測定してもよい。
【００３８】
（排出工程）
上記排出工程では、検査後の濾紙Ｘを排出する。上記排出工程は、繰出及び排出機構２によって行われる。上記排出工程では、検査に使用した濾紙Ｘを駆動ロール９によって巻き取ることで使用後の濾紙Ｘを排出する。
【００３９】
（表示工程）
上記表示工程では、上記測定工程による測定結果又はその測定結果から導出される指標を表示する。上記表示工程は、表示機構７によって行われる。
【００４０】
＜利点＞
当該自動濾過検査装置１は、繰出及び排出機構２を備えるので、検査領域Ｙに濾紙Ｘを連続的に供給することができる。そのため、当該自動濾過検査装置１は、濾紙Ｘをこの検査領域Ｙに繰り出した上、この濾紙Ｘの表面にスラッジを定量供給し、このスラッジを濾過するという一連の動作を連続的に行うことができる。また、当該自動濾過検査装置１は、測定機構６を備えるので、この濾過済液の水量を測定することでスラッジの被濾過特性を検査することができる。従って、当該自動濾過検査装置１は、スラッジの被濾過特性を効率よく検査することができる。
【００４１】
当該自動濾過検査装置１は、供給機構３が、濾紙表面に端面が当接され、内部にスラッジを保持する筒状の枠体を有するので、この枠体内に検査対象のスラッジを定量供給することで、スラッジの被濾過特性を容易かつ確実に検査することができる。
【００４２】
当該自動濾過検査装置１は、枠体３ａの下端開口によって区画される領域が検査領域Ｙとされるので、従来のロートを用いる濾過装置よりも検査領域Ｙの面積を大きくできる。そのため、当該自動濾過検査装置１は、濾過効率を向上することができる。
【００４３】
当該自動濾過検査装置１は、測定機構６による測定結果又はその測定結果から導出される指標を表示する表示機構７を有するので、測定結果又はその測定結果から導出される指標を容易かつ確実に視認することができる。
【００４４】
＜第二実施形態＞
図２の自動濾過検査装置１１は、繰出及び排出機構２と、供給機構１３と、濾過済液排出機構４と、濾過済液収容機構５と、測定機構６と、表示機構７とを備える。図２の自動濾過検査装置１１における繰出及び排出機構２、濾過済液排出機構４、濾過済液収容機構５、測定機構６及び表示機構７は、図１の自動濾過検査装置１と同様のため、同一符号を付して説明を省略する。
【００４５】
（供給機構）
供給機構１３は、図１の枠体３ａに加え、濾紙Ｘ表面に供給したスラッジに濾過圧力を付与する機構を有する。具体的には、供給機構１３は、図１の枠体３ａと同様の構成を有する枠体１３ａと、検査領域Ｙにおける濾紙Ｘの裏面側を減圧する減圧機構１４とを有する。
【００４６】
減圧機構１４は、真空ポンプ１４ａと、蓋１４ｂと、接続管１４ｃとを有する。真空ポンプ１４ａは、接続管１４ｃに接続され、この接続管１４ｃを介して容器５ａ内に連通する。また、蓋１４ｂは、容器５ａのロート４ａとの接続部及び接続管１４ｃとの接続部以外を封止し、容器５ａの内部を密閉する。これにより、減圧機構１４は、検査領域Ｙにおける濾紙Ｘの裏面側を減圧可能に構成される。
【００４７】
＜自動濾過検査方法＞
続いて、当該自動濾過検査装置１１を用いた自動濾過検査方法について説明する。当該自動濾過検査方法は、操出工程と、供給工程と、測定工程と、排出工程と、表示工程とを備える。当該自動濾過検査方法における繰出工程、測定工程、排出工程及び表示工程は、図１の自動濾過検査装置１を用いた自動濾過検査方法と同様のため説明を省略する。
【００４８】
（供給工程）
上記供給工程では、上記操出工程により検査領域Ｙに繰り出された濾紙Ｘの表面に検査対象のスラッジを定量供給する。また、上記供給工程では、濾紙Ｘ表面に供給したスラッジに濾過圧力を付与する。上記供給工程は、供給機構１３によって行われる。
【００４９】
上記供給工程における濾過圧力の下限としては、−６０ｋＰａが好ましく、−４０ｋＰａがより好ましく、−２０ｋＰａがさらに好ましい。一方、上記供給工程における濾過圧力の上限としては、−５ｋＰａが好ましく、−１０ｋＰａがより好ましい。上記濾過圧力が上記下限に満たないと、濾紙Ｘが破れるおそれがある。逆に、上記濾過圧力が上記上限を超えると、濾過速度が十分に高められないおそれがある。なお、「濾過圧力」とは、容器５ａ内の圧力を意味する。
【００５０】
＜利点＞
当該自動濾過検査装置１１は、上述の当該自動濾過検査装置１の効果に加え、供給機構１３が減圧機構１４を有するので、濾過時間を短縮して効率化を促進することができる。
【００５１】
＜第三実施形態＞
図３の自動濾過検査装置２１は、繰出及び排出機構２と、供給機構２３と、濾過済液排出機構４と、濾過済液収容機構５と、測定機構６と、表示機構７とを備える。図２の自動濾過検査装置１１における繰出及び排出機構２、濾過済液排出機構４、濾過済液収容機構５、測定機構６及び表示機構７は、図２の自動濾過検査装置１１と同様のため、同一符号を付して説明を省略する。
【００５２】
（供給機構）
供給機構２３は、枠体２３ａと、減圧機構２４とを有する。減圧機構２４は、真空ポンプ２４ａと、蓋２４ｂと、接続管２４ｃとを有する。減圧機構２４は、図２の減圧機構１４と同様のため説明を省略する。
【００５３】
枠体２３ａは、濾紙表面に端面が当接され、内部にスラッジを保持する。枠体２３ａは、筒状の本体２３ｂと、この本体２３ｂの下端に接続するフランジ部２３ｃとを有する。本体２３ｂは、図１の枠体３ａと同様に構成される。フランジ部２３ｃは、開口を有する板状に形成され、例えば円環状とされる。フランジ部２３ｃの開口によって区画される領域は、検査領域Ｙとして構成されている。フランジ部２３ｃの開口は本体２３ｂの開口よりも小さく、かつフランジ部２３ｃの外径は本体２３ｂの下端の外径よりも大きい。フランジ部２３ｃは、図４に示すように、上面に本体２３ｂの下端が当接する。本体２３ｂ及びフランジ部２３ｃは、予め接着されていてもよいが、互いに別体として構成され、濾紙Ｘの表面側に載置される際に重畳されてもよい。
【００５４】
フランジ部２３ｃの開口の平均径の下限としては、５ｃｍが好ましく、１０ｃｍがより好ましい。一方、フランジ部２３ｃの開口の平均径の上限としては、２５ｃｍが好ましく、２０ｃｍがより好ましい。フランジ部２３ｃの開口の平均径が上記下限に満たないと、濾過に要する時間が不要に長くなるおそれがある。逆に、フランジ部２３ｃの開口の平均径が上記上限を超えると、装置の大型化を招来するおそれがある。
【００５５】
＜利点＞
当該自動濾過検査装置２１は、上述の当該自動濾過検査装置１１の効果に加え、枠体２３ａがフランジ部２３ｃを有するので、このフランジ部２３ｃによって濾過済液が外部に漏れるのを容易かつ確実に防止することができる。つまり、当該自動濾過検査装置２１は、濾過済液がフランジ部２３ｃの開口から濾紙Ｘの裏面に透過されるので、濾過済液が濾紙Ｘを透過する過程で多少開口の外側に浸透したとしてもこの濾過済液を濾過済液排出機構４内に的確に排出することができる。また、当該自動濾過検査装置２１は、枠体２３ａがフランジ部２３ｃを有するので、枠体２３ａをロート４ａの上方に載置する際に両者の位置を厳密に調整する必要がなく、作業性を向上することができる。
【００５６】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００５７】
例えば、上記スラッジ供給機構は、必ずしも濾紙表面に端面が当接される筒状の枠体を有する必要はない。また、上記スラッジ供給機構が濾紙表面に端面が当接される筒状の枠体を有する場合であっても、この枠体は必ずしも円筒状である必要はなく、例えば多角筒状であってもよい。
【００５８】
上記濾過液排出機構は、必ずしも必要ではなく、濾紙の裏面から透過した濾過済液が直接濾過済液収容機構に収容されてもよい。
【００５９】
上記圧力付与機構は、必ずしも検査領域における濾紙の裏面側を減圧する減圧機構である必要はなく、例えば検査領域における濾紙の表面側を加圧する加圧機構であってもよい。かかる加圧機構としては、例えば加圧ポンプによって検査領域における濾紙の表面側を加圧する構成が挙げられる。
【００６０】
当該自動濾過検査装置は、必ずしも上記繰出及び排出機構がロール状に巻かれた長尺濾紙を回転可能に支持する手段と、上記長尺濾紙を順次繰り出す駆動ロールとを有する必要はない。当該自動濾過検査装置は、例えば毎葉の濾紙を検査の都度検査領域に繰り出す構成としてもよい。
【００６１】
当該自動濾過検査装置は、必ずしも表示機構を有する必要はない。当該自動濾過装置は、例えば測定機構による測定結果をデータとして保存し、必要な場合にこのデータを参照できる構成としてもよい。
【産業上の利用可能性】
【００６２】
以上のように、本発明の自動濾過検査装置は、スラッジの被濾過特性を効率よく検査することができるので、スラッジの被濾過特性を効率的に検査するための検査装置として適している。
【符号の説明】
【００６３】
１，１１，２１  自動濾過検査装置
２  繰出及び排出機構
３  スラッジ供給機構
３ａ  枠体
４  濾過済液排出機構
４ａ  ロート
５  濾過済液収容機構
５ａ  容器
６  測定機構
７  表示機構
８  従動ロール
９  駆動ロール
１０  回転ロール
１３，２３  供給機構
１３ａ，２３ａ  枠体
２３ｂ  本体
２３ｃ  フランジ部
１４，２４  減圧機構
１４ａ，２４ａ  真空ポンプ
１４ｂ，２４ｂ  蓋
１４ｃ，２４ｃ  接続管
Ｘ  濾紙
Ｙ  検査領域
【図１】
2016206115.tif 000003
【図２】
2016206115.tif 000004
【図３】
2016206115.tif 000005
【図４】
2016206115.tif 000006